(57)【特許請求の範囲】
【請求項１】
下端部が地中に埋設されて地上に立設された中空柱を補強する中空柱の補強構造であって、
中空柱の地面から露出した下部の外周に巻回されるアラミドシートと、
この巻回されたアラミドシートの上に付着され、外部からの光を再帰反射するガラスビーズと、
このガラスビーズの間に付着され、ガラスビーズの間を埋める砂と
を有することを特徴とする中空柱の補強構造。
【請求項２】
下端部が地中に埋設されて地上に立設された中空柱を補強する中空柱の補強構造であって、
中空柱の地面から露出した下部の外周に巻回されるアラミドシートと、
このアラミドシートに含浸した接着剤と、
この接着剤の含浸したアラミドシートの上に付着され、外部からの光を再帰反射するガラスビーズと、
このガラスビーズの間に付着され、ガラスビーズの間を埋める砂と
を有することを特徴とする中空柱の補強構造。
【請求項３】
下端部が地中に埋設されて地上に立設された中空柱を補強する中空柱の補強構造であって、
中空柱の地面から露出した下部の外周に巻回されるアラミドシートと、
このアラミドシートに含浸した接着剤と、
この接着剤の含浸したアラミドシートの上に塗布される反射塗料と、
この反射塗料の上に付着され、外部からの光を再帰反射するガラスビーズと、
このガラスビーズの間に付着され、ガラスビーズの間を埋める砂と
を有することを特徴とする中空柱の補強構造。
【発明の詳細な説明】
【技術分野】
【０００１】
本発明は、下端部が地中に埋設されて地上に立設された例えば交通標識用ポールのような鋼管柱などからなる中空柱を補強する中空柱の補強構造に関する。
【背景技術】
【０００２】
例えば、交通標識用ポールのような鋼管柱などからなる中空柱は、通常、その基端部の所定長部分が地中に埋設されて地上に立設される。このような中空柱は、内部が空洞、すなわち中空の筒状体である。
【０００３】
この中空柱は、基端部の所定長部分が地中に埋設されて確実に固定されているが、地面から露出した下部、詳しくは地中に埋設された地中部分と地上に立設された地上部分との境の地際に近い下部が他の部分に比較して傷みやすい傾向にある。
【０００４】
また、このような中空柱である交通標識用ポールは、車両の運転者が視認しやすいように道路際や車両用道路と歩行者用道路との境界などに一般に設置されているが、夜間などにおいては視認性が十分に確保出来ないおそれがある場合もあった。
【０００５】
視認性を高めるために、ポールに再帰反射テープを巻回したり、球状ガラス粒子と高反射性球状粒子を含有する樹脂からなる反射塗装層をポールの外周面に形成する方法が従来提案されている（特許文献１参照）。
【先行技術文献】
【特許文献】
【０００６】
【特許文献１】特許第３９２５８１４号
【発明の概要】
【発明が解決しようとする課題】
【０００７】
上述した特許文献１に記載されている方法は、ある程度の視認性を得ることはできるが、対象とするポールが柔軟性を有する熱可塑性ポリウレタンエラストマーで構成され、車両などが衝突しても、屈曲するだけで、また元の形に復元し得るものであり、衝突による破損などは考慮していない。
【０００８】
従って、例えば鋼管などで構成された中空柱において、視認性も確保しながら、特に下部がある程度の強度を有するように補強することが要望されている。
【０００９】
本発明は、上記に鑑みてなされたもので、その目的とするところは、視認性を確保しながら強固に補強し得る中空柱の補強構造を提供することにある。
【課題を解決するための手段】
【００１０】
上記課題を達成するため、請求項１記載の中空柱の補強構造は、下端部が地中に埋設されて地上に立設された中空柱を補強する中空柱の補強構造であって、中空柱の地面から露出した下部の外周に巻回されるアラミドシートと、この巻回されたアラミドシートの上に付着され、外部からの光を再帰反射するガラスビーズと、このガラスビーズの間に付着され、ガラスビーズの間を埋める砂とを有することを要旨とする。
【００１１】
請求項１記載の中空柱の補強構造では、中空柱の下部の外周にアラミドシートを巻回し、この巻回されたアラミドシートの上にガラスビーズを付着し、外部からの光を再帰反射するため、中空柱は下部がアラミドシートで補強されるとともに、ガラスビーズによる光の再帰反射により中空柱に対する視認性を向上でき、中空柱を交通標識用ポールに適用した場合には、アラミドシートによる補強とガラスビーズによる視認性の向上の相乗効果により交通標識用ポールの耐久性を向上し、交通の安全性を著しく向上することができる。
【００１２】
請求項２記載の中空柱の補強構造は、下端部が地中に埋設されて地上に立設された中空柱を補強する中空柱の補強構造であって、中空柱の地面から露出した下部の外周に巻回されるアラミドシートと、このアラミドシートに含浸した接着剤と、この接着剤の含浸したアラミドシートの上に付着され、外部からの光を再帰反射するガラスビーズと、このガラスビーズの間に付着され、ガラスビーズの間を埋める砂とを有することを要旨とする。
【００１３】
請求項２記載の中空柱の補強構造では、中空柱の下部の外周に接着剤の含浸したアラミドシートを巻回し、このアラミドシートの上にガラスビーズを付着し、外部からの光を再帰反射するため、中空柱は下部がアラミドシートで補強されるとともに、ガラスビーズによる光の再帰反射により中空柱に対する視認性を向上でき、中空柱を交通標識用ポールに適用した場合には、アラミドシートによる補強とガラスビーズによる視認性の向上の相乗効果により交通標識用ポールの耐久性を向上し、交通の安全性を著しく向上することができる。
【００１４】
請求項３記載の中空柱の補強構造は、下端部が地中に埋設されて地上に立設された中空柱を補強する中空柱の補強構造であって、中空柱の地面から露出した下部の外周に巻回されるアラミドシートと、このアラミドシートに含浸した接着剤と、この接着剤の含浸したアラミドシートの上に塗布される反射塗料と、この反射塗料の上に付着され、外部からの光を再帰反射するガラスビーズと、このガラスビーズの間に付着され、ガラスビーズの間を埋める砂とを有することを要旨とする。
【００１５】
請求項３記載の中空柱の補強構造では、中空柱の下部の外周に接着剤の含浸したアラミドシートを巻回し、このアラミドシートの上に反射塗料を塗布し、この反射塗料の上にガラスビーズを付着し、外部からの光を再帰反射するため、中空柱は下部がアラミドシートで補強されるとともに、ガラスビーズによる光の再帰反射により中空柱に対する視認性を向上でき、中空柱を交通標識用ポールに適用した場合には、アラミドシートによる補強とガラスビーズによる視認性の向上の相乗効果により交通標識用ポールの耐久性を向上し、交通の安全性を著しく向上することができる。
【００１７】
請求項１乃至３記載の中空柱の補強構造にあっては、ガラスビーズの間に砂を付着させて、ガラスビーズの間を砂で埋めているため、中空柱の下部に設けられた例えばアラミドシート、接着、反射塗料などの各部材の耐候性を向上し、アラこれらの各部材を太陽光、雨、風、雪などにより劣化することを防止することができる。
【発明の効果】
【００１８】
本発明によれば、中空柱の下部の外周にアラミドシートを巻回し、この巻回されたアラミドシートの上にガラスビーズを付着し、外部からの光を再帰反射するので、中空柱は下部がアラミドシートで補強されるとともに、ガラスビーズによる光の再帰反射により中空柱に対する視認性を向上でき、中空柱を交通標識用ポールに適用した場合には、アラミドシートによる補強とガラスビーズによる視認性の向上の相乗効果により交通標識用ポールの耐久性を向上し、交通の安全性を著しく向上することができる。
【００１９】
また、本発明によれば、ガラスビーズの間に砂を付着させて、ガラスビーズの間を砂で埋めているので、中空柱の下部に設けられた、例えばアラミドシート、接着、反射塗料などの各部材の耐候性を向上し、これらの各部材を太陽光、雨、風、雪などにより劣化することを防止することができる。
【図面の簡単な説明】
【００２０】
【図１】本発明の一実施形態に係わる中空柱の補強構造を下部に適用された例えば交通標識用ポールなどの中空柱を示す図である。
【図２】図１に示す中空柱の補強構造の一部の断面構造を示す部分断面図である。
【図３】図１に示す中空柱の補強構造に使用されているガラスビーズによる光の再帰反射を説明するための図である。
【発明を実施するための形態】
【００２１】
以下、図面を用いて、本発明を実施するための形態(以下、実施形態と称する)を説明する。
【００２２】
図１は、本発明の一実施形態に係わる中空柱の補強構造を下部に適用された例えば交通標識用ポールなどの中空柱を示す図である。同図に示す中空柱１は、下端部が地中に埋設されて地上に立設されているが、その地面から露出した下部の表面には、中空柱１の視認性を向上するための再帰反射を行うガラスビーズ３が多数付着している。なお、このガラスビーズ３が付着されている中空柱１の長さ、すなわち地面からの長さは、例えば約１８ｃｍ程度である。
【００２３】
更に詳しくは、図２に示す中空柱１の断面構造の一部から分かるように、中空柱１は、その下部を補強するように下部の外周部１ａの上に接着剤を含浸したアラミドシート５が巻回され、このアラミドシート５の上にアラミドシート５を浸透して出てきた接着剤７が層状に形成され、この接着剤７の上に反射塗料９が塗布され、この反射塗料９の上にガラスビーズ３が多数付着されている。
【００２４】
なお、接着剤７は、アラミドシート５の上に塗布して接着剤７の層として形成されたものでなく、アラミドシート５に含浸した接着剤７がアラミドシート５の上に浸み出てきたものである。すなわち、アラミドシート５は、予め接着剤７を含浸されているものであり、この接着剤７が予め含浸したアラミドシート５を中空柱１の外周に巻回することにより、アラミドシート５は、中空柱１の外周に確実に固着されるとともに、アラミドシート５に含浸した接着剤７が図２のようにアラミドシート５の上に浸み出て、接着剤７が層状に形成されるものである。
【００２５】
上述したように、接着剤７の含浸したアラミドシート５を中空柱１の外周に巻回する代わりに、まず最初に、中空柱１の外周に接着剤７を直接塗布し、それからこの接着剤７の上にアラミドシート５を巻回してもよく、この場合にもアラミドシート５は中空柱１の外周に確実に固着されるとともに、中空柱１の外周に直接塗布された接着剤７がこの上に巻回されたアラミドシート５を浸透して、アラミドシート５の上に出て、図２に示すように、アラミドシート５の上に接着剤７の層のように形成される。
【００２６】
また、接着剤７でアラミドシート５を固着する別の方法としては、まず最初に、中空柱１の外周にアラミドシート５を直接巻回し、この巻回されたアラミドシート５の上に接着剤７を塗布してもよく、この場合には、アラミドシート５の上に塗布された接着剤７がアラミドシート５を内側に浸透して中空柱１の外周に至り、すなわちアラミドシート５と中空柱１の外周との間に至り、これによりアラミドシート５は中空柱１の外周に固着される。なお、アラミドシート５の上に塗布された接着剤７は、そのまま接着剤７の層として図２に示すように形成されることは言うまでもないことである。
【００２７】
反射塗料９の上に付着したガラスビーズ３は、反射塗料９の上に緊密に密集して全面的に付着するものでなく、適度にばらつき間隔があいて付着しているものであり、各ガラスビーズ３の間には適当な隙間があるので、このガラスビーズ３の間の隙間に図２に示すように砂１１を付着させ、これにより中空柱１の下部に設けられた各部材、すなわちアラミドシート５、接着剤７、反射塗料９などの耐候性を向上している。この耐候性とは、アラミドシート５、接着剤７、反射塗料９などの各部材が太陽光、雨、風、雪などにより劣化することを防止し得るものである。
【００２８】
以上のように構成される補強構造を有する中空柱１は、まずその下部にアラミドシート５が巻回されているので、この下部の強度を著しく向上することができる。従って、このようにアラミドシート５で補強された中空柱１を交通標識用ポールに適用した場合には、この交通標識用ポールの下部に例えば車両などが当たったとしても、交通標識用ポールが簡単に破損することがない。
【００２９】
また、上述したように、中空柱１の下部の外表面に塗布された反射塗料９の上に再帰反射を行う多数のガラスビーズ３を付着させることにより、このガラスビーズ３に入射した外部からの光は、図３に示すように、ガラスビーズ３の底で入射方向と同じ方向に再帰反射される。従って、このように下部の外表面にガラスビーズ３を付着された中空柱１を交通標識用ポールに適用した場合には、夜間などにおいて交通標識用ポールの下部に車両のヘッドライトが当たって、ガラスビーズ３に入射すると、このガラスビーズ３からの再帰反射光が車両の運転者に向かって進み、運転者によって確実に視認されるため、運転者は交通標識用ポールの存在を知ることができ、車両が交通標識用ポールに当たることを防止できるとともに、その交通標識に基づき安全な運転を行うことができる。
【００３０】
すなわち、本実施形態の中空柱の補強構造を適用した中空柱１においては、アラミドシート５による補強とガラスビーズ３による光の再帰反射を利用した視認性の向上の相乗効果により、中空柱１への外部からの衝突を防止しながら中空柱１の補強を向上でき、この中空柱１を交通標識用ポールに適用した場合には、交通の安全性を著しく向上することができる。
【００３１】
なお、上記実施形態では、反射塗料９の上にガラスビーズ３を付着して、再帰反射を行うようにしているが、本発明はこれに限定されず、例えば各ガラスビーズ３そのものの半分に反射塗料を塗布し、このガラスビーズ３をアラミドシート５の上にランダムに付着させてもよい。各ガラスビーズ３そのものの半分に反射塗料を塗布するとは、ガラスビーズ３の球状体の半分、すなわち半球部にのみ反射塗料を塗布するものであり、これは多数のガラスビーズ３を平面上に固定的に並べ、この並んだ多数のガラスビーズ３の上方からのみスプレーにより反射塗料を吹き付けることによりガラスビーズ３の球状体の半分にのみ反射塗料を塗布することができる。また、ガラスビーズ３をアラミドシート５の上にランダムに付着させると、ガラスビーズ３の反射塗料を塗布されていない球状体の半分、すなわち反射塗料を塗布されてなく、光が入射し得る球状体の半分が種々の方向をむき、そのうちの例えば半数程度が外方を向いて、外部からの光を再帰反射し、上述した機能を達成することができる。
【符号の説明】
【００３２】
1  中空柱
3  ガラスビーズ
５  アラミドシート
７  接着剤
１１  砂
【図１】
0005396329.tif 000002
【図２】
0005396329.tif 000003
【図３】
0005396329.tif 000004